(57)【要約】      （修正有）【課題】容器内に収納されている米の全量を炊く際に必要な水の量を明示する米収納容器を提供する。【解決手段】米を収納する容器３と、該容器３に備えさせた水量表示手段５とよりなり、該水量表示手段５は該容器３における底部から該水量表示手段５の高さまでの容積が該容器３内に収納される米１の全量を炊くために必要な水の量に等しく又は当該水の量の数分の一に相当することを表示することを特徴とする米収納容器。容器３は、上端の開口部を備えた円筒状の容器本体９と、該容器本体９の開口部に螺合される蓋体１１とよりなる。水量表示手段５は、容器３の内外いずれに備えさせてもよい。また、水量表示手段５は、印刷により形成してもよいが、容器３に凹凸形成しても差し支えない。【選択図】図１
0003114887.tif 000002
【実用新案登録請求の範囲】
【請求項１】
米を収納する容器と、該容器に備えさせた水量表示手段とよりなり、該水量表示手段は該容器における底部から該水量表示手段の高さまでの容積が該容器内に収納される米の全量を炊くために必要な水の量に等しく又は当該水の量の数分の一に相当することを表示することを特徴とする米収納容器。
【考案の詳細な説明】
【技術分野】
【０００１】
本考案は、米収納容器に関するものであり、例えば、贈答品、引出物、返礼品等として用いられる米収納容器に係るものである。
【背景技術】
【０００２】
実用新案登録第３０３８０５８号公報は、注口部を形成したプラスチックよりなる瓶状の本体と、該注口部に螺合する蓋体とよりなる米収納容器（以下「従来の米収納容器」という。）を開示している。
【０００３】
上記従来の米収納容器においては、蓋体の周壁部内面に目盛線が形成され、蓋体における該目盛線の下側部分の容積が米所定量に相当するものである。
【特許文献１】実用新案登録第３０３８０５８号公報
【考案の開示】
【考案が解決しようとする課題】
【０００４】
上記従来の米収納容器は、取り扱いが容易であり、かつ、丈夫で長持ちするものであって、蓋体の周壁部内面に形成された目盛線により米を計量することができる。
【０００５】
しかるに、上記従来の米収納容器においては、蓋体の周壁部内面に形成された目盛線により米を計量することができるものの、米を炊く際に使用する水の量を示す手段は備えられていない。
【０００６】
従って、上記従来の米収納容器から米を取り出してこれを炊く際には、米の使用量に対応する量の水を計量し、この水を米と共に炊飯器等に注入しなければならない。
【０００７】
このように、米の使用量に対応する水の量を把握して計量することは、特に炊飯に関する知識や経験を有しない者にとっては、困難かつ面倒である。
【０００８】
このような状況に鑑み、本考案は、容器内に収納されている米の全量を炊く際に必要な水の量を明示する米収納容器を提供しようとしてなされたものである。
【課題を解決するための手段】
【０００９】
上記課題を解決するために、本考案は下記の米収納容器を提供する。
【００１０】
米を収納する容器と、該容器に備えさせた水量表示手段とよりなり、該水量表示手段は該容器における底部から該水量表示手段の高さまでの容積が該容器内に収納される米の全量を炊くために必要な水の量に等しく又は当該水の量の数分の一に相当することを表示することを特徴とする米収納容器。
【００１１】
［考案の作用］
米収納容器内に収納されている米の全量を炊く際に必要な水の量は、次のようにして得られる。
【００１２】
容器における底部から水量表示手段の高さまでの容積が該容器内に収納される米の全量を炊くために必要な水の量に等しい場合には、容器から米を全部取り出した状態の空の容器内に水量表示手段の高さまで水を注入したときの容器内の水の量が容器内に収納されている米の全量を炊く際に必要な水の量である。
【００１３】
容器における底部から水量表示手段の高さまでの容積が該容器内に収納される米の全量を炊くために必要な水の量の数分の一に相当する場合には、容器から米を全部取り出した状態の空の容器内に水量表示手段の高さまで水を注入したときの容器内の水の量の数倍が容器内に収納されている米の全量を炊く際に必要な水の量である。
【００１４】
即ち、例えば、容器における底部から水量表示手段の高さまでの容積が該容器内に収納される米の全量を炊くために必要な水の量の１／２に相当する場合には、容器から米を全部取り出した状態の空の容器内に水量表示手段の高さまで水を注入したときの容器内の水の量の２倍が容器内に収納されている米の全量を炊く際に必要な水の量である。
【考案の効果】
【００１５】
本考案によれば、米収納容器内に収納されている米の全量を炊く際に必要な水の量は水量表示手段により表示されるため、何人も当該水の量を容易に計量することができる。
【００１６】
即ち、炊飯に関する知識や経験を有しない者といえども、米収納容器内に収納されている米の全量を前記の如く計量された水と共に炊飯器等に投入して容易に炊飯することができる。
【考案を実施するための最良の形態】
【００１７】
本考案による米収納容器は、米１を収納する容器３と、該容器３に備えさせた水量表示手段５とよりなる。
【００１８】
容器３は米１を密封状態で収納し得るものであれば、その形状、材質等の如何を問うものではない。
【００１９】
図示の事例における容器３は、上端の開口部７を備えた円筒状の容器本体９と、該容器本体９の開口部７に螺合される蓋体１１とよりなる。符号１３に示すものは容器本体９における開口部７の外周に形成された雄ねじであり、符号１５に示すものは蓋体１１の内周に形成された雌ねじである。
【００２０】
図示の事例における容器本体９と蓋体１１とは、それぞれ合成樹脂により形成されている。
【００２１】
本考案による米収納容器は、好ましくは、使い捨てとする。
【００２２】
水量表示手段５は、容器３における底部１７から該水量表示手段５の高さまでの容積が該容器３内に収納される米１の全量を炊くために必要な水の量に等しく又は当該水の量の数分の一に相当することを表示する。
【００２３】
水量表示手段５は、容器３の内外いずれに備えさせてもよい。また、水量表示手段５は、印刷により形成してもよいが、容器３に凹凸形成しても差し支えない。
【００２４】
図１に示す事例においては、容器３を一例としてポリオレフィン系熱収縮性フィルム１９によりシュリンク包装しているが、該ポリオレフィン系熱収縮性フィルム１９に線としての水量表示手段５を予め印刷している。符号２１、２３に示すものは、シュリンク包装の開封を容易ならしめるためにポリオレフィン系熱収縮性フィルム１９に形成されたミシン目である。
【００２５】
図２に示す事例においては、水量表示手段５として、容器本体９の内周に突条を形成している。
【００２６】
因みに、炊飯における米と水との好ましい体積比は、一例として、１：１．２である。例えば、米１合を炊く際に必要な水の量は、約１．２合である。
【００２７】
この場合、例えば図１、図２に示す事例においては、容器本体９内に水量表示手段５まで水を注入して得られる水の量は米の体積の０．６倍である。従って、容器３内に収納される米１の全量を炊くために必要な水の量は、容器本体９内に水量表示手段５まで注入して得られる水２杯分である。
【図面の簡単な説明】
【００２８】
【図１】本考案による米収納容器の一例を示す斜視図である。
【図２】本考案による米収納容器の別の一例を示す断面図である。
【符号の説明】
【００２９】
１  米
３  容器
５  水量表示手段
７  開口部
９  容器本体
１１  蓋体
１３  雄ねじ
１５  雌ねじ
１７  底部
１９  ポリオレフィン系熱収縮性フィルム
２１  ミシン目
２３  ミシン目
【図１】
0003114887.tif 000003
【図２】
0003114887.tif 000004